(57)【要約】【課題】適宜期間使用した寝具，クッション，被服等から詰物である羽毛を吸引し、吸引した羽毛を傷みのないものと損傷のあるものと塵埃等に複数種に分けることの出来る羽毛の分離選別方法及び装置を得る。【解決手段】壁面に複数の小孔を穿設した内箱を外箱で囲い、両箱間にスペースを有して二重に設けた分離容器の内箱に、搬送気流に乗せて被処理羽毛を吸い込み、次いで、分離容器全体を密閉状態にして、吹き込み風を内箱内に吹き出すことによって、被処理羽毛を内箱内で攪拌することにより、軽量なダウンを内箱上部に滞留させると共に重量のある玉ダウンは内箱下部に滞留させ、ダウンと玉ダウンとをそれぞれ別途吸引する。羽枝は内箱に設けた小孔で篩分けし、内箱外で分離する。【選択図】図８
2008206650.tif 000002
【特許請求の範囲】
【請求項１】
壁面に複数の小孔を穿設した内箱を外箱で囲い、各箱の底板及び天井板を共通にし両箱間にスペースを有して二重に設けてなる分離手段の内箱に、搬送手段の気流に乗せて被処理羽毛を吸い込み、次いで、吹き込み風を内箱内に吹き出し、被処理羽毛を内箱内で攪拌することにより、損傷した羽枝等の微小片（ダウンファイバー）を前記小孔よりスペース内に篩分けし、同時に、軽量なダウンを内箱上部に滞留させると共に重量のある玉ダウンは内箱下部に滞留させ、ダウンと玉ダウンとをそれぞれ別途吸引し所定容器に送り込むことを特徴とする羽毛の分離選別方法。
【請求項２】
分離手段の内箱壁面は、多角筒状体であり、平面状壁面に羽毛を衝突させ攪拌することを特徴とする請求項１記載の羽毛の分離選別方法。
【請求項３】
筒状の壁面に複数の小孔を穿設して篩体とした内箱と、内箱との間にスペースを有して内箱の外周を囲い、内箱と共通する底板及び天井板とを有する筒状の外箱とよりなる分離手段と、
内箱内に被処理羽毛を吸入し処理後既処理ダウンを排出するため、内箱に設けた羽毛吸入吹出管、
内箱下部の滞積した玉ダウンを内箱外の容器に排出する、弁を有する玉ダウン排出管路、
内箱内に先端を開口した給排気管をファンの吹出口側管路又は吸引口側管路に切替え接続する切換弁よりなる、
搬送手段とを有する羽毛の分離装置。
【請求項４】
分離容器の内箱は多角柱状体としたことを特徴とする請求項３記載の羽毛の分離選別装置。
【請求項５】
羽毛吸入吸出管は、羽毛吸入時は布団等羽毛供給源につらね、処理羽毛排出時はダウン容器に接続することを特徴とする請求項３記載の羽毛の分離選別装置。
【発明の詳細な説明】
【技術分野】
【０００１】
本発明は、羽毛布団，寝袋等の寝具，クッション，被服等に詰物として封入されていた羽毛の永年の使用による損傷等が生じた際に、当該損傷羽毛を選別除去するための羽毛分離選別方法及び装置に関する。
【背景技術】
【０００２】
寝具，クッション，被服等に詰物として充填されている羽毛は、製品として使用されている間に外力が加わり、羽枝が損傷し脱落を生じ、脱落した小片はダウンファイバーと称され羽毛の嵩高を減少させる原因となる。また、ダウン同志が絡まりあって団子状の所謂玉ダウンになり、その結果、詰物としての嵩高が損なわれることにもなる。
【０００３】
そのためには、所定の使用期間が経過したときに詰物の羽毛を検査してダウン，玉ダウン，ダウンファイバー等の割合を知り、使用できなくなった羽毛及び混入した塵埃を取り除き、新しいダウンを補充して充填する装置が考えられた（特許文献１参照）。この装置は、寝具等の中から羽毛を取り出すのに吸引気流を使って羽毛を所定ボックス内に吸引し取り除くべきものを分離しているが、羽毛の種類に応じ、例えば羽枝ダウン，玉ダウンの如く分別することは出来なかった。
【特許文献１】特許第３５９０３０９号公報
【発明の開示】
【発明が解決しようとする課題】
【０００４】
本発明は上記の点に鑑みて、適宜期間使用した寝具，クッション，被服等から詰物である羽毛を吸引し、吸引した羽毛を傷みのないものと損傷のあるものと塵埃等に複数種に分けることの出来る羽毛の分離選別方法及び装置を得ることを課題とする。
本発明により、布団等の詰物の全量を検査選別することも出来るのは勿論であるが、その一部を取り出し検査することでダウンの品質に応じた仕分けが出来、その詰物の傷み具合等を容易に目視することを可能とし、寝具等の販売、店頭での商品説明に使用しても有効である。
【課題を解決するための手段】
【０００５】
請求項１記載の発明にあっては、羽毛の分離選別方法にあって、壁面に複数の小孔を穿設した内箱を外箱で囲い、各箱の底板及び天井板を共通にし両箱間にスペースを有して二重に設けてなる分離手段の内箱に、搬送手段の気流に乗せて被処理羽毛を吸い込み、次いで、吹き込み風を内箱内に吹き出し、被処理羽毛を内箱内で攪拌することにより、損傷した羽枝等の微小片（ダウンファイバー）を前記小孔よりスペース内に篩分けし、同時に、軽量なダウンを内箱上部に滞留させると共に重量のある玉ダウンは内箱下部に滞留させ、ダウンと玉ダウンとをそれぞれ別途吸引し所定容器に送り込むようにした。
請求項２記載の発明にあっては、請求項１記載の羽毛の分離選別方法において、分離手段の内箱壁面を多角筒状体とし、平面状壁面に羽毛を衝突させ攪拌するようにした。
請求項３記載の発明にあっては、羽毛の分離装置であって、筒状の壁面に複数の小孔を穿設して篩体とした内箱と、内箱との間にスペースを有して内箱の外周を囲い、内箱と共通する底板及び天井板とを有する筒状の外箱とよりなる分離手段と、内箱内に被処理羽毛を吸入し処理後既処理ダウンを排出するため、内箱に設けた羽毛吸入吹出管、内箱下部の滞積した玉ダウンを内箱外の容器に排出する、弁を有する玉ダウン排出管路、内箱内に先端を開口した給排気管をファンの吹出口側管路又は吸引口側管路に切替え接続する切換弁よりなる、搬送手段とを有するものとした。そして、分離容器の内箱は多角柱状体とした。
【発明の効果】
【０００６】
本発明は、使用された羽毛布団，クッシッヨン，被服等のそれぞれから、詰物として詰められていた羽毛を直接に吸引し、それをダウン，玉ダウン，ダウンファイバー等に分離収集することが出来るから、分離したダウン率より詰物羽毛の損傷具合を計測出来、また、新羽毛に本装置を利用すれば羽毛の精製状態を知ることも出来る。
【０００７】
また本発明装置において分離手段として用いた縦形の筒状体よりなる分離筒体を多角形としているために、筒体内に吹き込まれた被処理羽毛は、分離筒体内で回転気流に乗って旋回する際に筒体壁面に衝突することになり、円筒対状壁面を持った分離筒体の場合、円弧を画く壁面に沿って気流が流れ、気流に乗っている羽毛が強く壁面に衝突することが出来ないのに比べ、平面を画く角筒状の壁面に羽毛が当るため強い衝撃を羽毛が受け羽毛が良好に叩解される。
【発明を実施するための最良の形態】
【０００８】
本発明の羽毛の分離選別方法及び装置１につき次に説明する。
本発明の羽毛の分離選別方法及び装置１は、主として羽毛を受け入れ保管すると共に、羽毛をその損傷程度により分別する分離手段２と、分離手段２内に処理すべき羽毛をエアに乗せ搬送し、分別した各グレードの羽毛を所要容器に送り込む搬送手段３とよりなる。  
【０００９】
分離手段２は、ベース４に対し間隔を置いて支板５により設けられ、底板９と天井板１０とを共通にする２重箱を形成している。内箱７は外箱６に対し若干のスペース８を有している。
【００１０】
図示の例では内箱７は６角柱状をなしている。内箱７は６角柱としなければならない事ではないが、後述する如く内箱７内に攪拌用空気流を吹き込み、内箱７内で羽毛を攪拌する際に内箱７が円柱状であると内部の攪拌気流が環状の循環流となり攪拌効果を減ずることにもなる。そこで内箱７を角柱状とすれば箱の内壁面は複数の平面となり、攪拌気流は平面の壁面に次々と当たりながら循環し羽毛を叩解する効果が増すことにもなる。従って、角数が多過ぎると円柱体に近くなり叩解の効率が低下し、角数が少ないと循環流動の速度が低下するので実施例では６角を採用している。６角柱を形成する一つの辺の頂部において前記スペース８を横切って小室１１が設けられ、小室１１を箱外部と隔絶する外箱６の壁面にパイプ挿入口１２を設けている。パイプ挿入口１２を介して外箱６の外部と内箱７内とは通じている。パイプ挿入口１２には羽毛気送用の羽毛吸入吹出管１３が挿入されるが、必要のないときは羽毛吸入吹出管１３を抜き去り適宜キャップ（図示せず）を嵌めておく。前記小室１１を含む内箱７の壁面には多数の小孔１４が穿設され、小孔１４の大きさは良質の羽毛，玉ダウンは通過しないが、羽枝は通過する大きさとしている。内箱７の天井板１０には内箱７の内容物取出用の開口１５（図４に図示）を設けキャップ１６を嵌め合わせている。
【００１１】
次に、処理する羽毛の搬入と分別した羽毛の保管等を行う搬送手段３について説明する。
図４に示す如く、支板５，５で支えられた外箱６の底板９とベース４との間の空間にファン２５を設け、図１０に示す如く、ファン２５の吸引口側管路２６と吹出口側管路２７とを切換弁２８に接続する。切換弁２８は前記吸引口側管路２６と吹出口側管路２７の中間に分岐管２９を立ち上げ、図１１，１２に示す如く吸引口側管路２６と吹出口側管路２７との流路を制御するボール弁３０，３１が２個、シリンダー３２内に設けられている。２個のボール弁３０，３１は常時一定間隔を保ち左右動するようバー３３で支持されている。
【００１２】
シリンダー３２の両端及び分岐管２９との接続部両側には、弁座３４，３７，３５，３６が設けられ、ボール弁３０は弁座３４，３５間を、ボール弁３１は弁座３６，３７間を移動可能としている。尚、ボール弁３０が弁座３４と、ボール弁３１が弁座３７とそれぞれ接していないときは該弁座３４，３７を通過してシリンダー３２内外が連通する。
【００１３】
上記の弁座３４，３５間のシリンダー３２にファン２５の吸引口側管路２６が接続され、弁座３６，３７間のシリンダー３２にファン２５の吹出口側管路２７が接続されている。前記分岐管２９は切換弁２８のシリンダー３２から立ち上がり、内外箱７，６間のスペース８から内箱７内に先端を屈折挿入し、内箱７内に端部を開口している。
【００１４】
バー３３には、図１に示す如く端部に蝶番３８が設けられ、蝶番３８の一方の揺動板にピン３９が設けられている。そしてバー３３を左右動した際、左右動の端部位置でバー３３が移動出来ないようその位置を固定するためピン３９を支板５に設けた左右の小孔４０Ｓ，４０Ｂのいずれかに挿入するようにしている。
【００１５】
図４に示す如く、外箱６と内箱７との間のスペース８には、内箱７に開口した吸引口４１を有し、排出口４２を、外箱６の底板９外に通じている弁４３を設けている。弁４３はレバー４４を外箱６外から操作することで開閉出来る。前記操作を行うために外箱６には窓４５を設け、常時はキャップ４６を嵌め合わせている。弁４３の下端の排出口４２は屈曲した玉ダウン排出管路４７とし、ベース４に置かれ玉ダウンを収容する玉ダウン容器４８の側面から玉ダウン排出管路４７の先端をボックス４８内に挿入している。玉ダウン容器４８の側面には通気メッシュを張設した通気窓４９が設けられている。
【００１６】
次に本発明装置による羽毛の分離選別方法について説明する。
先ず、処理対象の羽毛を分離手段２に送り込む。即ち、例えば羽毛布団の側地袋内に羽毛吸入吹出管１３の先端を挿入し、その他端を分離手段２の外箱６のパイプ挿入口１２に挿し込み、布団側地袋内部と分離手段２を連結する。一方、図１，４に示す切換弁２８の蝶番３８のピン３９を支板５に設けられている小孔４０Ｓに挿すことにより、バー３３を図１２に示す如く左方向に摺動し左行したバー３３を固定する。この固定により図１２に示す如くボール弁３０は弁座３４と接し弁座３４を閉じ弁座３５と離れて弁座３５を開き、ボール弁３１は弁座３７と離れて弁座３７を開き弁座３６と接し弁座３６を閉じた状態とする。そして、ファン２５を回転すると図１２において矢印で示す如き流れが生ずる。
【００１７】
即ち、先述の布団側地袋内の羽毛は羽毛吸入吹出管１３を通って分離手段２の中箱７内に吸い込まれ、吸い込まれた羽毛は分岐管２９先端に張設されているネット５０の存在のため分岐管２９に侵入することはなく内箱７内に滞留する。同時に吸い込まれた空気のみ図１２に示す如く分岐管２９を通り切換弁２８を経て矢印の如き軌跡を画いて切換弁２８の弁座３７から装置外に流出する。このとき図４，図８に示す内箱７と玉ダウン容器４８との間に設けられている弁４３は閉止され内箱７内の羽毛が内箱７から流出することはない。
【００１８】
次に、内箱７内に充填した羽毛を、内箱７に吹き込んだ気流により攪拌する。即ち、切換弁２８のバー３３に設けた蝶番３８のピン３９を小孔４０Ｓから抜き小孔４０Ｂに嵌め直すことで、図１１に示す如くバー３３を右行し、切換弁２８を図１１に示す状態とする。この操作によりボール弁３０は弁座３４と離れ弁座３５と接し、弁座３４は開き弁座３５は閉じ、同時にボール弁３１は弁座３６と離れ弁座３７と接し弁座３６は開き弁座３７は閉じる。従って、図１１に矢印で示す如くファン２５の回転により内箱７へ分岐管２９の先端から噴気流が吹き出される。この時羽毛吸入吹出管１３の挿入口１２にはキャップ（図示せず）を嵌めておく。この分岐管２９からの噴気流によって内箱７内に充填された羽毛は攪拌され羽毛は良好に膨化し、特にダウンは内箱７の上位を浮遊する。一方、ダウンに比較して若干は嵩を減少してはいるが、損傷も少ない玉ダウンは重くダウンの下位に滞積することになり内箱７内で上下にダウンと玉ダウンが分離される。
【００１９】
一方、損傷が激しく嵩を減少している羽枝は内箱７の小孔１４から内箱７外に篩い分けられ、内箱７と外箱６との間に位置するスペース８に推積する。この推積した羽枝は外箱６の正面に設けられた窓５１のキャップ５２を外し、該窓５１から適宜掃除機等により吸引除去する。
【００２０】
内箱７の上部に集まっているダウンを取り出す際には、切換弁２８を図１１に示す如く、分岐管２９の頂部より空気を吹き出すようセットし、かつ、パイプ挿入口１２とダウン容器５３のパイプ挿入口５４間に羽毛吸入吹出管１３を接続、ファン２５を回転させ内箱７内に旋回気流を生じさせると、内箱７内のダウンは羽毛吸入吹出管１３を通ってダウン容器５３内に送られ、ダウン容器５３内に推積する。ダウンをダウン容器５３に運んだ空気は、ダウン容器５３の通気窓５５を通って外箱に逃れる。図示の例ではダウン容器５３は外箱６の底板９とベース４との間に挿入されているが、適宜羽毛吸入吹出管１３を連結できる所で良い。
【００２１】
内箱７の下部に推積していた玉ダウンを取り出すには、内箱７のパイプ挿入口１２にキャップをし、気流の流れを阻止してから弁４３のレバー４４を操作して弁４３を開放に切り替えると共に、切換弁２８はダウン排出時と同様にしたまま（図１１の状態）分岐管２９の先端から内箱７内に噴気する。この操作により内箱７内の玉ダウンは、弁４３の吸引口４１から弁４３に入り、更に排出口４２から玉ダウン容器４８内に送り込まれ推積する。玉ダウンを搬送したエアのみ通気窓４９から外部に逃れる。
【産業上の利用可能性】
【００２２】
本発明にあっては上記の如く、使用した羽毛をダウン，玉ダウン，羽枝に分けて蒐集することが可能であるため長期使用した羽毛の少量サンプルを採取し、それを分析しダウン，羽枝等の構成比を知ることによって羽毛の劣化損傷等を検知することが可能となる。そこで、本装置を店頭などに置きサンプル採取した詰物を分析し、顧客に詰物の劣化の実態を開示するという営業手段の１つしとて使用することも可能である。
【図面の簡単な説明】
【００２３】
【図１】本発明装置の正面図。
【図２】同じく一部切除した状態の正面図。
【図３】本発明装置の左側面図。
【図４】同じく一部切除した状態の左側面図。
【図５】本発明装置の右側面図。
【図６】本発明装置の背面図。
【図７】本発明装置の平面図。
【図８】図１におけるVIII−VIII線断面図。
【図９】図１におけるIX−IX線断面図。
【図１０】図１におけるＸ−Ｘ線断面図。
【図１１】切換弁が吸入側切換の状態を示す切換弁作動図。
【図１２】切換弁が吹き出し側切換の状態を示す切換弁作動図。
【符号の説明】
【００２４】
１  分離選別装置
２  分離手段
３  搬送手段
４  ベース
５  支板
６  外箱
７  内箱
８  スペース
９  底板
１０  天井板
１１  小室
１２  パイプ挿入口
１３  羽毛吸入吹出管
１４  小孔
１５  開口
１６  キャップ
２５  ファン
２６  吸引口側管路
２７  吹出口側管路
２８  切換弁
２９  分岐管
３０，３１  ボール弁
３２  シリンダー
３３  バー
３４，３５，３６，３７  弁座
３８  蝶番
３９  ピン
４０Ｓ，４０Ｂ  小孔
４１  吸引口
４２  排出口
４３  弁
４４  レバー
４５  窓
４６  キャップ
４７  玉ダウン排出管路
４８  玉ダウン容器
４９，５５  通気窓
５０  ネット
５１  窓
５２  キャップ
５３  ダウン容器
５４  パイプ挿入口
【図１】
2008206650.tif 000003
【図２】
2008206650.tif 000004
【図３】
2008206650.tif 000005
【図４】
2008206650.tif 000006
【図５】
2008206650.tif 000007
【図６】
2008206650.tif 000008
【図７】
2008206650.tif 000009
【図８】
2008206650.tif 000010
【図９】
2008206650.tif 000011
【図１０】
2008206650.tif 000012
【図１１】
2008206650.tif 000013
【図１２】
2008206650.tif 000014